(57)【要約】      （修正有）【課題】凹部への異物付着を抑制する効果を向上できる圧力センサを提供する。【解決手段】圧力センサは、凹部１１と受圧部１２とを有するセンサ基板１０と、側面１３の少なくとも一部と底面１４とに設けられ、圧力媒体に含まれる異物の付着を抑制するための保護膜３０とを備えている。また、圧力センサは、保護膜３０が形成された凹部と受圧部１２が圧力媒体中に配置されるものであり、受圧部１２が圧力媒体の圧力を検出する機能を有している。そして、圧力センサは、側面１３の少なくとも一部に設けられた凹凸に、保護膜３０として圧力媒体の液体に対する撥液性を有する撥液膜が設けられた状態でロータス効果を発揮する付着防止部１３ａを備えている。【選択図】図３
2018040638.tif 000002
【特許請求の範囲】
【請求項１】
圧力媒体の圧力を検出する圧力センサであって、
周辺よりも窪んだ凹部（１１）と、前記凹部が形成されることで周辺よりも薄肉とされた薄肉部（１２）と、を有するセンサ基板（１０）と、
前記凹部の側面（１３）の少なくとも一部と、前記薄肉部の一面である前記凹部の底面（１４）とに設けられ、前記圧力媒体に含まれる異物の付着を抑制するための保護膜（３０）と、を備えており、
前記保護膜が形成された前記凹部と前記薄肉部が前記圧力媒体中に配置されるものであり、前記薄肉部が前記圧力媒体の圧力を検出する機能を有しており、
さらに、前記側面の少なくとも一部に設けられた凹凸に、前記保護膜として前記圧力媒体の液体に対する撥液性を有する撥液膜が設けられた状態でロータス効果を発揮する付着防止部（１３ａ）を備えている圧力センサ。
【請求項２】
圧力媒体の圧力を検出する圧力センサであって、
周辺よりも窪んだ凹部（１１）と、前記凹部が形成されることで周辺よりも薄肉とされた薄肉部（１２）と、を有するセンサ基板（１０）と、
前記凹部の側面（１３）の少なくとも一部と、前記薄肉部の一面である前記凹部の底面（１４）とに設けられ、前記圧力媒体に含まれる異物の付着を抑制するための保護膜（３０）と、を備えており、
前記保護膜が形成された前記凹部と前記薄肉部が前記圧力媒体中に配置されるものであり、前記薄肉部が前記圧力媒体の圧力を検出する機能を有しており、
さらに、前記側面の少なくとも一部に設けられた凹凸に、前記保護膜として前記圧力媒体の液体に対する親液性を有する親液膜が設けられた状態で、前記親液性が前記親液膜よりも高められた付着防止部（１３ａ）を備えている圧力センサ。
【請求項３】
前記凹凸における谷部の底（１３ｂ）から山部の頂点（１３ｃ）までの高さ（Ｌ）は、前記保護膜における前記凹凸に設けられている部分の厚み（ｄ２）以上である請求項１又は２に記載の圧力センサ。
【請求項４】
前記付着防止部は、前記側面における前記底面との境界から所定範囲に前記凹凸が設けられており、前記凹凸に前記保護膜が設けられている請求項１乃至３のいずれか一項に記載の圧力センサ。
【請求項５】
前記保護膜における前記凹凸に設けられている部分の厚み（ｄ２）は、前記保護膜における前記底面に設けられている部分の厚み（ｄ１）以上である請求項４に記載の圧力センサ。
【請求項６】
前記付着防止部は、前記底面に設けられていない請求項１乃至５のいずれか一項に記載の圧力センサ。
【請求項７】
前記凹部は、前記凹部における開口端の開口面積が前記底面の面積よりも広い請求項１乃至６のいずれか一項に記載の圧力センサ。
【請求項８】
前記凹部は、前記凹部における開口端の開口面積が前記底面の面積よりも狭い請求項１乃至６のいずれか一項に記載の圧力センサ。
【発明の詳細な説明】
【技術分野】
【０００１】
本発明は、圧力センサに関する。
【背景技術】
【０００２】
従来、圧力センサの一例として特許文献１に開示された圧力センサがある。この圧力センサは、凹部の表面に圧力検出の障害となる物（以下、異物）が付着することを防止するために、凹部の表面に設けられた保護部を有する。保護部は、フッ素系樹脂の膜、フッ素系樹脂のシート、もしくはフッ素系ゲルなどによって構成される。
【先行技術文献】
【特許文献】
【０００３】
【特許文献１】特開２０１５−１９７３６７号公報
【発明の概要】
【発明が解決しようとする課題】
【０００４】
ところで、圧力センサが晒される圧力媒体は、異物の量が少ない状態や多い状態など様々な状態が考えられる。よって、圧力センサでは、圧力媒体の状態によっては、保護膜の機能が不十分で、凹部に異物が付着することを防止できないという問題がある。
【０００５】
本開示は、上記問題点に鑑みなされたものであり、凹部への異物付着を抑制する効果を向上できる圧力センサを提供することを目的とする。
【課題を解決するための手段】
【０００６】
上記目的を達成するために本開示は、
圧力媒体の圧力を検出する圧力センサであって、
周辺よりも窪んだ凹部（１１）と、凹部が形成されることで周辺よりも薄肉とされた薄肉部（１２）と、を有するセンサ基板（１０）と、
凹部の側面（１３）の少なくとも一部と、薄肉部の一面である凹部の底面（１４）とに設けられ、圧力媒体に含まれる異物の付着を抑制するための保護膜（３０）と、を備えており、
保護膜が形成された凹部と薄肉部が圧力媒体中に配置されるものであり、薄肉部が圧力媒体の圧力を検出する機能を有しており、
さらに、側面の少なくとも一部に設けられた凹凸に、保護膜として圧力媒体の液体に対する撥液性を有する撥液膜が設けられた状態でロータス効果を発揮する付着防止部（１３ａ）を備えていることを特徴とする。
【０００７】
このように、本開示は、凹部の側面の少なくとも一部と、薄肉部の一面である凹部の底面とに、圧力媒体に含まれる異物の付着を抑制するための保護膜が設けられている。このため、本開示は、圧力媒体に含まれる異物が、保護膜が設けられた場所に付着することを抑制できる。
【０００８】
さらに、本開示は、凹凸に撥液膜が設けられた状態でロータス効果を発揮する付着防止部を備えている。この付着防止部は、撥液膜の撥液性に加えて、凹凸に撥液膜が設けられた状態でロータス効果を発揮するため、単に平坦な側面に撥液膜が設けられている場合よりも異物が付着しにくい。このため、本開示は、凹部への異物付着を抑制する効果を向上できる。従って、本開示は、圧力媒体の状態によらず、凹部への異物付着を抑制できる。
【０００９】
また、本開示は、付着防止部が凹部の側面に設けられているため、異物が側面に堆積して、異物が堆積した堆積層が薄肉部にまで達することを抑制できる。よって、本開示は、圧力の検出精度が低下することを抑制できる。
【００１０】
また、本開示のさらなる特徴は、
圧力媒体の圧力を検出する圧力センサであって、
周辺よりも窪んだ凹部（１１）と、凹部が形成されることで周辺よりも薄肉とされた薄肉部（１２）と、を有するセンサ基板（１０）と、
凹部の側面（１３）の少なくとも一部と、薄肉部の一面である凹部の底面（１４）とに設けられ、圧力媒体に含まれる異物の付着を抑制するための保護膜（３０）と、を備えており、
保護膜が形成された凹部と薄肉部が圧力媒体中に配置されるものであり、薄肉部が圧力媒体の圧力を検出する機能を有しており、
さらに、側面の少なくとも一部に設けられた凹凸に、保護膜として圧力媒体の液体に対する親液性を有する親液膜が設けられた状態で、親液性が親液膜よりも高められた付着防止部（１３ａ）を備えている点にある。
【００１１】
このように、本開示は、凹部の側面の少なくとも一部と、薄肉部の一面である凹部の底面とに、圧力媒体に含まれる異物の付着を抑制するための保護膜が設けられている。このため、本開示は、圧力媒体に含まれる異物が、保護膜が設けられた場所に付着することを抑制できる。
【００１２】
さらに、本開示は、凹凸に親液膜が設けられた状態で、親液性が親液膜よりも高められた付着防止部を備えている。この付着防止部は、親液膜の親液性に加えて、凹凸に親液膜が設けられた状態で、親液性が親液膜よりも高められているため、単に平坦な側面に親液膜が設けられている場合よりも異物が付着しにくい。このため、本開示は、凹部への異物付着を抑制する効果を向上できる。従って、本開示は、圧力媒体の状態によらず、凹部への異物付着を抑制できる。
【００１３】
また、本開示は、付着防止部が凹部の側面に設けられているため、異物が側面に堆積して、異物が堆積した堆積層が薄肉部にまで達することを抑制できる。よって、本開示は、圧力の検出精度が低下することを抑制できる。
【００１４】
なお、特許請求の範囲、及びこの項に記載した括弧内の符号は、一つの態様として後述する実施形態に記載の具体的手段との対応関係を示すものであって、発明の技術的範囲を限定するものではない。
【図面の簡単な説明】
【００１５】
【図１】第１実施形態における圧力センサの概略構成を示す平面図である。
【図２】図１のII-II線に沿う断面図である。
【図３】図２の破線IIIで囲まれた部分の拡大図である。
【図４】第２実施形態における圧力センサの概略構成を示す断面図である。
【図５】第３実施形態における圧力センサの概略構成を示す断面図である。
【図６】第４実施形態における圧力センサの概略構成を示す断面図である。
【発明を実施するための形態】
【００１６】
以下において、図面を参照しながら、発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１７】
（第１実施形態）
本発明の第１実施形態にかかる圧力センサ１００に関して、図１、図２、図３を用いて説明する。この圧力センサ１００は、例えば、エンジン内へ取り入れられる吸入空気の圧力の検出やＥＧＲ（Exhaust Gas Recirculation）システムなどの排気ガス圧の検出、さらにはエンジン各部を潤滑にするエンジンオイルの圧力の検出等に適用される。つまり、圧力センサ１００は、圧力媒体として、吸入空気、排気ガス、エンジンオイルなどの圧力の検出に適用される。
【００１８】
圧力センサ１００は、図１、図２に示すように、回路部２００と接続されている。回路部２００は、圧力センサ１００の出力信号を処理する回路チップ、圧力センサ１００と回路チップとを電気的に接続するワイヤ、回路部２００を出力するためのリードなどを含んでいる。また、回路部２００は、例えば、回路チップと、ワイヤと、リードの一部とを一体的に封止する封止樹脂を含んでいる。なお、封止樹脂は、これらと共に、圧力センサ１００の一部も封止している。
【００１９】
圧力センサ１００は、主に、センサ基板１０、保護膜３０を備えている。また、本実施形態では、センサ基板１０に接合された張り合わせ基板２０を備えた圧力センサ１００を採用している。
【００２０】
センサ基板１０は、シリコン等の半導体からなる平板状の部材である。一方、張り合わせ基板２０は、半導体やガラスなどからなる平板状の部材である。センサ基板１０は、表面と、表面の反対面である裏面を有しており、裏面に張り合わせ基板２０が接合されている。センサ基板１０と張り合わせ基板２０とは、接合された状態で平板状の構造体をなしている。例えば、センサ基板１０は、表面と裏面の外形が矩形形状を成している。張り合わせ基板２０は、センサ基板１０との対向面と、対向面の反対面が矩形形状を成している。
【００２１】
なお、張り合わせ基板２０は、図２に示すように、センサ基板１０と対向する面に、周辺よりも凹んだ圧力基準室２１が設けられている。この圧力基準室２１は、後程説明する受圧部１２に対向する位置に設けられている。また、圧力基準室２１は、センサ基板１０と張り合わせ基板２０とが接合された状態で、真空圧とされている。
【００２２】
センサ基板１０は、図１、図２に示すように、表面側に開口端１１ａを有した有底の穴であり、周辺よりも窪んだ凹部１１が形成されている。また、センサ基板１０は、凹部１１が形成されることで周辺よりも薄肉とされた受圧部１２を備えている。よって、受圧部１２は、凹部１１に対向する部位である。なお、受圧部１２は、薄肉部に相当する。
【００２３】
圧力センサ１００は、後程説明する保護膜３０が形成された凹部１１と受圧部１２が圧力媒体中に配置される。また、受圧部１２は、圧力媒体の圧力を検出する機能を有している。
【００２４】
受圧部１２は、厚みが例えば１０μｍ程度であり、周辺のセンサ基板１０よりも厚みが薄い。また、受圧部１２は、開口端１１ａから凹部１１内に流入した圧力媒体から印加される圧力に応じて変形する、すなわち歪むためダイヤフラムと言うことができる。
【００２５】
受圧部１２は、圧力媒体から印加された圧力による受圧部１２の変位に応じて抵抗値が変化する歪みゲージが形成されている。言い換えると、受圧部１２は、上記圧力による受圧部１２の変位に応じて抵抗値が変化するブリッジ回路が形成されている。圧力センサ１００は、この抵抗値が変化することを利用して、圧力に対応した出力信号（電気信号）を出力するように構成されている。
【００２６】
凹部１１は、環状の側面１３と、側面１３から連続的に形成された底面１４とで形成されている。また、側面１３は、底面１４の端部である底面端部１４ａから屈曲して形成されていると言える。よって、底面端部１４ａは、側面１３と底面１４との境界である。
【００２７】
本実施形態では、一辺の長さが例えば２５０μｍ程度の正方形である開口形状で、深さが例えば２５０μｍ程度の凹部１１を採用している。凹部１１は、四つの側面１３と、一つの底面１４とで形成されている。また、凹部１１は、側面１３と底面１４と囲まれた空間とも言える。なお、底面１４は、受圧部１２の一面に相当し、圧力媒体の圧力を受ける面であるため受圧面とも言える。
【００２８】
さらに、センサ基板１０は、図３に示すように、側面１３の少なくとも一部に凹凸が設けられている。つまり、センサ基板１０は、例えば、底面１４との境界から開口端１１ａまでの少なくとも一部の範囲であり、且つ、側面１３の全周に凹凸が設けられている。なお、センサ基板１０は、側面１３の全体に凹凸が設けられていてもよい。
【００２９】
また、センサ基板１０には、複数の山部と、複数の谷部とが形成されていると言える。言い換えると、センサ基板１０は、複数の山部が形成されることで、複数の山部間に谷部が形成されている。図３における符号１３ｂは、谷部の底である。また、符号１３ｃは、山部の頂点である。
【００３０】
この凹凸は、例えば、Ｒａ＝５０ｎｍ〜１００００ｎｍ程度である。図３のＬは、底１３ｂから頂点１３ｃまでの高さを示している。また、高さＬは、一つの側面１３における複数の底１３ｂを結び、底面端部１４ａから開口端１１ａに延びる第１仮想直線と、その側面１３における複数の頂点１３ｃを結び、底面端部１４ａから開口端１１ａに延びる第２仮想直線との間隔とも言える。図３では、第１仮想直線と第２仮想直線を破線で示している。さらに、本実施形態では、第１仮想直線と第２仮想直線が底面１４に垂直となっている。
【００３１】
なお、凹凸の形状は、特に限定されない。例えば、円錐形状の山部と山部間に形成された谷部、角錐形状の山部と山部間に形成された谷部、円柱の山部と山部間に形成された谷部、角柱の山部と山部間に形成された谷部などを採用できる。
【００３２】
保護膜３０は、図２、図３に示すように、凹部１１の側面１３の少なくとも一部と、受圧部１２の一面である凹部の底面１４とに設けられている。側面１３に設けられた保護膜３０は、少なくとも側面１３の凹凸に設けられている。側面１３に凹凸が設けられていない平坦部があった場合、保護膜３０は、凹凸と平坦部の一部に設けられていてもよい。
【００３３】
当然ながら、側面１３は、全域が保護膜３０で覆われていてもよい。一方、底面１４は、全域が保護膜３０で覆われている。つまり、凹部１１は、全域が保護膜３０で覆われていてもよい。
【００３４】
圧力媒体には、液体（水や油）にすす等の異物が混入されている。保護膜３０は、圧力媒体に含まれる異物の付着を抑制するためのものである。つまり、保護膜３０は、凹部１１の表面、特に、圧力の検出特性に影響する底面１４に、異物が付着することを抑制するために設けられている。
【００３５】
詳述すると、保護膜３０は、圧力媒体の液体に対する撥液性を有している。このため、保護膜３０は、圧力媒体の液体との接触角が９０°以上である。また、保護膜３０は、圧力媒体の液体との接触角が大きければ大きいほど、撥液性が高くなるので好ましい。保護膜３０は、たとえば塗布と乾燥による方法や、プラズマ処理によるコーティングや、スパッタ、蒸着等により成膜される。
【００３６】
保護膜３０の材料は、撥液性を有するだけではなく、以下のような点を考慮して選択すると好ましい。保護膜３０は、受圧部１２にも形成される。このため、保護膜３０の材料は、撥液性を有し、且つ、受圧部１２の歪み特性を阻害しがたい材料、例えば低弾性率の材料が好ましい。また、保護膜３０の材料は、薄膜形成が可能な材料が好ましい。
【００３７】
さらに、圧力センサ１００は、車両に搭載される。このため、保護膜３０は、撥液性を有し、且つ、圧力センサ１００が搭載された車載環境において、耐熱性及び耐薬品性に優れた材料が好ましい。
【００３８】
以上から、保護膜３０の材料は、弾性率が低く、厚みが薄く、耐熱性及び耐薬品性に優れた材料が好ましい。よって、保護膜３０の材料は、例えばフッ素の樹脂を採用すると好ましい。
【００３９】
図３におけるｄ１とｄ２は、それぞれ保護膜３０の膜厚（厚み）を示している。厚みｄ１は、保護膜３０のうち、底面１４に設けられた部位の膜厚である。厚みｄ１は、上記のように、受圧部１２の歪み特性を阻害しないようにするために、できるだけ薄いことが好ましい。
【００４０】
厚みｄ２は、保護膜３０のうち、凹凸に設けられている部分における最も厚い部分の膜厚である。凹凸に設けられた保護膜３０は、凹凸の谷部上の膜厚が最も厚くなる可能性が高い。そして、上記高さＬは、厚みｄ２以上であると好ましい。これによって、圧力センサ１００は、凹凸の谷部が保護膜３０によって埋まってしまうことを防止できる。
【００４１】
なお、圧力媒体の液体が水の場合、保護膜３０は、撥水性を有していると言える。同様に、圧力媒体の液体が油の場合、保護膜３０は、撥油性を有していると言える。
【００４２】
このように、圧力センサ１００は、凹部１１に異物が付着することを抑制するために保護膜３０が設けられている。しかしながら、異物の含有量が多いなど圧力媒体の状態によっては、保護膜３０の機能が不十分で、凹部１１に異物が付着することを防ぎきれないことも起こりうる。
【００４３】
そこで、圧力センサ１００は、図３に示すように、凹部１１への異物付着を抑制する効果を向上させるために、付着防止部１３ａを備えている。付着防止部１３ａは、側面１３に設けられた凹凸に保護膜３０が設けられた状態でロータス効果を発揮する部位である。上記のように、凹凸は、側面１３の少なくとも一部に設けられている。よって、付着防止部１３ａは、側面１３の少なくとも一部に設けられている。凹凸に設けられた保護膜３０は、撥液膜に相当する。
【００４４】
つまり、付着防止部１３ａは、側面１３の凹凸が維持されるように、凹凸に保護膜３０が設けられることで、保護膜３０の撥液性に加えて、側面１３の形状効果で、より高い撥液性を発現させることができる。よって、圧力センサ１００は、保護膜３０の機能に加えて、付着防止部１３ａのロータス効果によって、凹部１１に異物が付着することを防止するように構成されていると言える。
【００４５】
以上のように、圧力センサ１００は、凹部１１の側面１３の少なくとも一部と、受圧部１２の一面である凹部１１の底面１４とに、圧力媒体に含まれる異物の付着を抑制するための保護膜３０が設けられている。このため、圧力センサ１００は、圧力媒体に含まれる異物が、保護膜３０が設けられた場所に付着することを抑制できる。
【００４６】
さらに、圧力センサ１００は、凹凸に撥液膜が設けられた状態でロータス効果を発揮する付着防止部１３ａを備えている。この付着防止部１３ａは、撥液膜の撥液性に加えて、凹凸に撥液膜が設けられた状態でロータス効果を発揮するため、単に平坦な側面１３に撥液膜が設けられている場合よりも異物が付着しにくい。このため、圧力センサ１００は、凹部１１への異物付着を抑制する効果を向上できる。従って、圧力センサ１００は、圧力媒体の状態によらず、凹部１１への異物付着を抑制できる。
【００４７】
また、圧力センサ１００は、付着防止部１３ａが凹部１１の側面１３に設けられているため、異物が側面１３に堆積して、異物が堆積した堆積層が受圧部１２にまで達することを抑制できる。よって、圧力センサ１００は、圧力の検出精度が低下することを抑制できる。
【００４８】
なお、付着防止部１３ａは、底面１４に設けられていないと好ましい。圧力センサ１００は、受圧部１２に凹凸が設けられた場合、凹凸の形状によって圧力の検出結果が変化してしまい、検出精度が低下する可能性がある。しかしながら、圧力センサ１００は、底面１４に付着防止部１３ａを設けないようにすることで、すなわち、凹凸を設けないようにすることで検出精度が低下することを抑制できる。
【００４９】
しかしながら、本発明は、これに限定されない。圧力センサ１００は、付着防止部１３ａが底面１４に設けられていてもよい。つまり、圧力センサ１００は、底面１４に設けられた凹凸に保護膜３０が設けられた状態でロータス効果を発揮する付着防止部１３ａを備えていてもよい。これによって、圧力センサ１００は、異物の付着を抑制する効果を向上させることができる。つまり、圧力センサ１００は、底面１４に異物が付着することをより一層防ぐことができる。
【００５０】
異物は、側面１３における底面１４との境界付近に付着しやすい。このため、圧力センサ１００は、側面１３における底面１４との境界付近に異物が付着すると、異物の堆積層が受圧部１２に達しやすくなる。そこで、付着防止部１３ａは、側面１３における底面１４との境界である底面端部１４ａから所定範囲に凹凸が設けられており、凹凸に保護膜３０が設けられていると好ましい。これによって、圧力センサ１００は、異物の堆積層が受圧部１２にまで達することをより一層抑制できる。
【００５１】
また、厚みｄ２は、厚みｄ１以上であると好ましい。これによって、圧力センサ１００は、底面１４に設けられた保護膜３０の膜厚を薄くすることができ、特性への影響を抑えることができ、且つ、高い撥液性を維持することができる。また、圧力センサ１００は、底面１４に設けられている保護膜３０によって、一部の谷部が埋まってしまい、ロータス効果を発揮できなくなることを防止できる。
【００５２】
さらに、圧力センサ１００は、底面１４に設けられた保護膜３０の機能と、側面１３に設けられた保護膜３０の機能とを異ならせてもよい。例えば、圧力センサ１００は、底面１４に設けられた保護膜３０を、親液性を有するものとしてもよい。親液性を有する保護膜３０の材料としては、例えばシリカ系コーティング膜や有機系親水化剤等によるコーティング膜、あるいはＤＬＣ（ダイヤモンドライクカーボン）等のコーティング膜を採用できる。
【００５３】
底面１４に設けられた保護膜３０として親液性を有したものとするか否かは、圧力媒体によって選択できる。例えば、圧力媒体の液体が水の場合は、底面１４に設けられた保護膜３０として親液性を有したものを選択すると好ましい。なお、圧力媒体の液体が水の場合、保護膜３０は、親水性を有していると言える。同様に、圧力媒体の液体が油の場合、保護膜３０は、親油性を有していると言える。
【００５４】
また、この保護膜３０は、圧力媒体の液体に対する親液性を有している。このため、保護膜３０は、圧力媒体の液体との接触角が９０°以下である。また、保護膜３０は、圧力媒体の液体との接触角が小さければ小さいほど、親液性が高くなるので好ましい。保護膜３０は、たとえば塗布と乾燥による方法や、プラズマ処理によるコーティングや、スパッタ、蒸着等により成膜される。
【００５５】
これによって、圧力センサ１００は、底面１４に対して、圧力媒体の異物よりも液体を優先的に付着させることができる。このため、圧力センサ１００は、異物が底面１４に設けられた保護膜３０に付着することなく、圧力媒体で異物を流すことができる。
【００５６】
（変形例）
また、変形例の圧力センサ１００は、保護膜３０が圧力媒体の液体に対する親液性を有する親液膜である。よって、付着防止部１３ａの保護膜３０は、親液膜である。その他の構成は、上記実施形態と同様であるため上記実施形態を参照できる。また、この変形例は、他の実施形態に適用することもできる。
【００５７】
このように、変形例の圧力センサ１００は、凹部１１の側面の少なくとも一部と、受圧部１２の一面である凹部１１の底面１４とに、圧力媒体に含まれる異物の付着を抑制するための保護膜３０が設けられている。このため、変形例の圧力センサ１００は、圧力媒体に含まれる異物が、保護膜３０が設けられた場所に付着することを抑制できる。
【００５８】
さらに、変形例の圧力センサ１００は、凹凸に親液膜が設けられた状態で、親液性が親液膜よりも高められた付着防止部１３ａを備えている。この付着防止部１３ａは、親液膜の親液性に加えて、凹凸に親液膜が設けられた状態で、親液性が親液膜よりも高められているため、単に平坦な側面１３に親液膜が設けられている場合よりも異物が付着しにくい。
【００５９】
この場合、変形例の圧力センサ１００は、圧力媒体の液体を異物よりも優先的に、付着防止部１３ａの保護膜３０に付着させることができる。これによって、異物が付着防止部１３ａに付着することを抑制できる。このように、変形例の圧力センサ１００は、凹部１１への異物付着を抑制する効果を向上できる。従って、変形例の圧力センサ１００は、圧力媒体の状態によらず、凹部１１への異物付着を抑制できる。
【００６０】
また、変形例の圧力センサ１００は、付着防止部１３ａが凹部の側面に設けられているため、異物が側面に堆積して、異物が堆積した堆積層が受圧部にまで達することを抑制できる。よって、本開示は、圧力の検出精度が低下することを抑制できる。
【００６１】
なお、変形例の圧力センサ１００は、底面１４に設けられた保護膜３０を、撥液性を有するものとしてもよい。圧力媒体は、水蒸気を含んだ空気である場合、水蒸気に混入した異物が凹部１１に付着する可能性がある。しかしながら、変形例の圧力センサ１００は、底面１４に設けられた保護膜３０を、撥液性を有するものとし、付着防止部１３ａの保護膜３０を、親液性を有するものとすることで、異物が凹部１１に付着することをより一層抑制できる。
【００６２】
以上、本発明の好ましい実施形態について説明した。しかしながら、本発明は、上記実施形態に何ら制限されることはなく、本発明の趣旨を逸脱しない範囲において、種々の変形が可能である。以下に、本発明のその他の形態として、第２実施形態〜第４実施形態、変形例に関して説明する。上記実施形態に記載の技術は、第２実施形態〜第４実施形態に適宜組み合わせて実施することも可能である。
【００６３】
（第２実施形態）
図４を用いて、第２実施形態における圧力センサに関して説明する。なお、図４は、図３に相当する拡大図である。ここでは、便宜的に、上記実施形態と同様の符号を採用する。
【００６４】
圧力センサ１００は、凹部１１における開口端１１ａの開口面積が底面１４の面積よりも広い。つまり、図４に示すように、圧力センサ１００は、底面１４と側面１３との成す角度が鈍角となっている。また、圧力センサ１００は、上記第１仮想直線や第２仮想直線と、底面１４との成す角度が鈍角と言える。
【００６５】
この圧力センサ１００は、底面１４の面積が上記実施形態と同じであれば、上記実施形態よりも凹部１１の開口面積を大きくすることができる。このため、圧力センサ１００は、凹部１１内における圧力媒体の流速が早くなり、保護膜３０による効果、付着防止部１３ａによる効果に加えて、異物を洗い流す効果も得られる。言い換えると、圧力センサ１００は、異物が凹部１１内に留まることを抑制できる。よって、圧力センサ１００は、上記実施形態よりも、異物の付着を抑制できる。
【００６６】
（第３実施形態）
図５を用いて、第３実施形態における圧力センサに関して説明する。なお、図５は、図３に相当する拡大図である。ここでは、便宜的に、上記実施形態と同様の符号を採用する。
【００６７】
圧力センサ１００は、凹部１１における開口端１１ａの開口面積が底面１４の面積よりも狭い。つまり、図５に示すように、圧力センサ１００は、底面１４と側面１３との成す角度が鋭角となっている。また、圧力センサ１００は、上記第１仮想直線や第２仮想直線と、底面１４との成す角度が鋭角と言える。
【００６８】
この圧力センサ１００は、底面１４の面積が上記実施形態と同じであれば、上記実施形態よりも凹部１１の開口面積を狭くすることができる。このため、圧力センサ１００は、保護膜３０による効果、付着防止部１３ａによる効果に加えて、凹部１１内に異物が入ることを抑制する効果も得られる。よって、圧力センサ１００は、上記実施形態よりも、異物の付着を抑制できる。
【００６９】
（第４実施形態）
図６を用いて、第３実施形態における圧力センサに関して説明する。ここでは、便宜的に、上記実施形態と同様の符号を採用する。
【００７０】
図６に示すように、圧力センサ１００は、シリコンの異方性ドライエッチングで凹部１１が形成されている。圧力センサ１００は、凹部１１が形成する際に、側面１３に凹凸が形成される。そして、圧力センサ１００は、この凹凸に保護膜３０を形成することで付着防止部１３ａとしている。圧力センサ１００は、上記第１実施形態と同様の効果を奏することができる。
【符号の説明】
【００７１】
１０…センサ基板、１１…凹部、１２…受圧部、１３…側面、１３ａ…付着防止部、１３ｂ…底、１３ｃ…頂点、１４…底面、１４ａ…底面端部、２０…張り合わせ基板、２１…圧力基準室、３０…保護膜、１００…圧力センサ、２００…回路部
【図１】
2018040638.tif 000003
【図２】
2018040638.tif 000004
【図３】
2018040638.tif 000005
【図４】
2018040638.tif 000006
【図５】
2018040638.tif 000007
【図６】
2018040638.tif 000008